(57)【要約】内容物を収容し、分配するためのパッケージは磁性閉鎖部を備える。そのパッケージは、内容物を収容するためのパッケージ内部を画定する。一対のパッケージ部分はパッケージ内部にアクセスするための開口部を画定する。磁性閉鎖部は、パッケージ部分の再開口可能な閉鎖を可能にするためのパッケージ部分の少なくとも１つに配置される磁性材料を含む。【選択図】図１
2013544720.tif 000002
【特許請求の範囲】
【請求項１】
内容物を含み、分配するためのパッケージであって、
前記内容物を収容するためのパッケージ内部を有するハウジングと、
前記パッケージ内部にアクセスするための開口部を画定する一対のパッケージハウジング部分と、
前記パッケージ部分の再開口可能な閉鎖を可能にするための前記パッケージ部分の少なくとも１つに適用される磁性材料から形成される閉鎖部であって、前記閉鎖部は、１ｍｍ以下の距離で測定して約５０〜４００ガウスの磁場強度を有する、閉鎖部と、
を含む、パッケージ。
【請求項２】
前記磁場強度は約５ｍｍの距離で測定して約１０ガウス以下である、請求項１に記載のパッケージ。
【請求項３】
前記磁場強度は約３００ガウスの上限を有する、請求項１に記載のパッケージ。
【請求項４】
前記磁場強度は約１００〜２００ガウスである、請求項１に記載のパッケージ。
【請求項５】
前記磁性材料は少なくとも１つの前記パッケージ部分に配置された磁性接着材である、請求項１に記載のパッケージ。
【請求項６】
前記磁性材料はフレキシブルである、請求項５に記載のパッケージ。
【請求項７】
前記磁性材料を含む前記一対のパッケージ部分の各々はフレキシブルである、請求項６に記載のパッケージ。
【請求項８】
前記パッケージハウジングは、
製品を含む第１の区画および製品を含む第２の区画であって、前記第１および第２の区画は、開口位置と閉鎖位置との間で動くようにヒンジにより折り畳み可能に結合される、第１の区画および第２の区画を備え、
前記第１の区画および第２の区画の各々は、前記閉鎖状態において磁性係合するように配置されるフレキシブルな磁石を含む、請求項１に記載のパッケージ。
【請求項９】
前記パッケージハウジングは、前記パッケージ内部を画定する区画を備え、前記区画は開口部および折り畳み可能なフラップを有し、前記フラップは、前記区画の前記開口部を覆うように折り畳み可能であり、
前記磁性材料は、前記区画と共に前記フラップの開口可能な閉鎖を提供する、請求項１に記載のパッケージ。
【請求項１０】
製品を分配するための開口端を有するポケットを収容する第１の製品を含む第１の部分、およびヒンジ部材により前記第１の部分に接続される第２の部分を有するパッケージハウジングを備える、複数の製品を収容するためのパッケージであって、
前記第１の部分および前記第２の部分は、前記ポケットへのアクセスを与える開口位置と、閉鎖位置との間の前記パッケージハウジングの連結を可能にするために前記ヒンジ部材周囲で相互に移動可能であり、前記第２の部分は、前記ポケットに対してアクセスを提供する前記第１の部分と重なり、
前記第１の部分および前記第２の部分の各々は、それらに直接適用され、前記閉鎖状態において前記パッケージハウジングを開放可能に維持するために前記閉鎖位置において相互の磁性係合のために整列された対面関係で配置される相互に磁気的に引きつけられる磁性材料を含む、パッケージ。
【請求項１１】
前記パッケージハウジングの前記第２の部分は、製品収容ポケットの第２の開口端を備える、請求項１０に記載のパッケージ。
【請求項１２】
前記パッケージハウジングは、少なくとも１つの平らなブランクから形成される、請求項１０に記載のパッケージ。
【請求項１３】
前記平らなブランクは、紙板から形成される、請求項１２に記載のパッケージ。
【請求項１４】
前記区画の前記ポケットの前記開口端は、前記開口状態において対向して配置される、請求項１０に記載のパッケージ。
【請求項１５】
前記パッケージハウジングは、一対の平らなブランクから形成される、請求項１０に記載のパッケージ。
【請求項１６】
前記平らなブランクの各々は、前記第１の区画および前記第２の区画の１つを形成する、請求項１５に記載のパッケージ。
【請求項１７】
前記第１の区画および前記第２の区画の各々は前壁を備え、前記磁性材料は前記前壁に配置される、請求項１１に記載のパッケージ。
【請求項１８】
前記磁性材料は前記前壁を覆う、請求項１７に記載のパッケージ。
【請求項１９】
製品を支持するためのパッケージハウジングと、
各区画に接着して適用され、ヒンジ周囲で前記区画を閉鎖可能に折り畳むと、相互に磁性係合するように配置されるフレキシブルな磁性材料と、
を含む、複数の細長い消費可能な製品を収容し、分配するためのパッケージアセンブリであって、
前記パッケージハウジングは、前記ヒンジにより分離される第１の製品を収容する区画および第２の製品を収容する区画を備え、
各々の前記製品を収容する区画は前記ヒンジに隣接する開口端を有し、前記製品を収容する区画は本のような形式で前記ヒンジ周囲で折り畳み可能である、パッケージ。
【請求項２０】
前記フレキシブルな磁性材料は、１ｍｍ以下の距離で測定して、約５０ガウス以上の磁場強度を有する、請求項１９に記載のパッケージアセンブリ。
【請求項２１】
前記磁場強度は約５０〜４００ガウスである、請求項１９に記載のパッケージアセンブリ。
【請求項２２】
前記磁場強度は約１００〜２００ガウスである、請求項１９に記載のパッケージアセンブリ。
【請求項２３】
前記磁場強度は約５ｍｍの距離で約１０ガウス以下である、請求項２０に記載のパッケージアセンブリ。
【請求項２４】
前記磁場強度は約３００ガウスの上限を有する、請求項２０に記載のパッケージアセンブリ。
【請求項２５】
前記パッケージハウジングは片手の操作で開口可能である、請求項１９に記載のパッケージアセンブリ。
【請求項２６】
前記磁性材料は、重力下で閉鎖した前記ハウジングを維持するのに十分な磁場強度を有する、請求項１９に記載のパッケージアセンブリ。
【請求項２７】
フレキシブルな磁性材料の前記相互の磁性係合は可聴表示を生じる、請求項１９に記載のパッケージアセンブリ。
【請求項２８】
各々の前記製品区画は、前記開口端により画定される開口領域および閉鎖領域を備え、前記開口領域は前記閉鎖領域より大きい、請求項１９に記載のパッケージアセンブリ。
【請求項２９】
前記閉鎖領域は前壁により画定される、請求項２８に記載のパッケージアセンブリ。
【請求項３０】
前記前壁は、前記前壁に適用される前記磁性材料を備える、請求項２９に記載のパッケージアセンブリ。
【請求項３１】
前記磁性材料は前記前壁全体に適用される、請求項２９に記載のパッケージアセンブリ。
【請求項３２】
背壁を画定する基板と、前記基板が製品を収容するポケットを形成するように折り畳み可能である折り畳み可能な前延部と、
前記折り畳み可能な前延部に適用される磁化可能な材料であって、前記磁化可能な材料はポリマー担体内にフェライトを含み、前記磁化可能な材料は前記基板上で後で磁化に供される、磁化可能な材料と
を含む、消費可能な物品のためのパッケージの作製に使用するブランク。
【請求項３３】
前記磁化可能な材料は約５０ガウス以下の最大磁場強度を有する、請求項３２に記載のブランク。
【請求項３４】
前記折り畳み可能な延部は前記ポケットの前壁を形成する、請求項３２に記載のブランク。
【請求項３５】
適用される前記磁化可能な材料を備える前記折り畳み可能な延部はフレキシブルである、請求項３２に記載のブランク。
【請求項３６】
前記基板が紙板から形成される、請求項３２に記載のブランク。
【請求項３７】
前記磁性材料が前記基板に接着して適用される、請求項３１に記載のブランク。
【請求項３８】
ヒンジにより分離される第１の製品を収容する区画および第２の製品を収容する区画を有する消費可能な製品パッケージであって、各々の前記製品を収容する区画は、背壁、前壁および開口面を有し、開口位置と閉鎖位置との間で前記ヒンジ周囲で折り畳み可能であるパッケージにおいて、前記パッケージのための磁性閉鎖を提供する方法であって、
各々の前記区画に収容される製品の重心を決定する工程と、
前記重心から前記ヒンジまでの距離を決定する工程と、
前記ヒンジから各々の前記前壁までの距離を決定する工程と、
重力下で前記パッケージを前記閉鎖位置に維持し、容器による前記パッケージの手動による開口を可能にするのに十分な質量を有する前記前壁上に相互に引き合う磁性材料を配置する工程と、
を含む、方法。
【請求項３９】
消費可能な製品を収容するための一対のパッケージハウジング部分の間の内部を画定する一対のパッケージハウジング部分と、
前記一対のパッケージハウジング部分の再開口可能な閉鎖を可能にするために各々のパッケージハウジング部分に適用される閉鎖部と、
を含む、複数の消費可能な製品を収容するためのパッケージであって、
前記閉鎖部は、前記パッケージハウジング部分を接着して閉鎖するための接着材料および前記パッケージハウジング部分を磁気的に閉鎖するための磁性材料を含む、パッケージ。
【請求項４０】
前記接着材料は前記磁性材料を含む、請求項３９に記載のパッケージ。
【発明の詳細な説明】
【技術分野】
【０００１】
関連出願の相互参照
本出願は、２０１０年１０月２７日に出願された米国仮特許出願第６１／４０７，３８５号、２０１０年１０月２９日に出願された米国仮特許出願第６１／４０８，０９１号、および２０１０年１０月２９日に出願された米国仮特許出願第６１／４０８，１１２号に対する優先権を主張し、それらの内容はその全体が本明細書に参照として組み込まれる。
【０００２】
本発明は概して、製品を収容し、分配するためのパッケージに関する。より具体的には、本発明は磁性材料を使用したパッケージ閉鎖に関する。
【背景技術】
【０００３】
種々の包装する物品は、消費可能な製品を収容し、分配するために存在する。そのようなパッケージは、その中に含まれる製品を取るために繰り返される開閉を可能にするように設計され得る。ある種類の再開口可能なパッケージは、区画および折り畳み式のフラップカバーを収容する製品を有するパッケージを含む。
【０００４】
ガムのスティックまたはスラブを収容し、分配するための１つのこのようなパッケージの例は、同一出願人による特許文献１に示されており、そのパッケージは、チューイングガムのスラブをそこから分配できる開口位置から閉鎖位置の間にそのパッケージを配置するように２つの区画が互いに対して折り畳み可能に閉鎖され得るヒンジにより分離される２つの区画を備える。
【０００５】
閉鎖位置で折り畳まれたパッケージを維持するために、特許文献１に示したパッケージは、２つの区画に対して折り畳まれ、スロット内に押し込まれる折り畳み可能なフラップを備える。パッケージを開口するために、フラップはスロットから取り外されなければならず、ヒンジにより持ち上げられて、パッケージ区画の開口を可能にする。
【０００６】
ガムスティックまたはスラブのためのパッケージの別の例は、同一出願人による特許文献２に示されている。この実施形態において、カバーは内容物を覆う。カバーはまた、内容物も開口する開口可能なフラップを有する。特許文献１の内容物の実施形態と同様に、フラップは、そのフラップをカバーの前壁におけるスロット内に押し込むことによって閉鎖される。
【０００７】
分配開口部を覆うために折り畳み可能なフラップを使用するガムパッケージの他の例が知られている。
【先行技術文献】
【特許文献】
【０００８】
【特許文献１】米国特許第７，１５９，７１７号
【特許文献２】米国特許第７，５３３，７７３号
【発明の概要】
【発明が解決しようとする課題】
【０００９】
さらなる閉鎖機構を提供する、チューイングガムなどの消費可能な製品を収容し、分配するためのパッケージを提供することが望まれる。
【課題を解決するための手段】
【００１０】
本発明は、内容物を収容し、分配するためのパッケージを提供する。パッケージは内容物を収容するためのパッケージ内部を有するハウジングを含む。一対のパッケージ部分は、パッケージ内部にアクセスする（手を入れる）ための開口部を画定する。閉鎖部は磁性材料から形成される。磁性材料は、パッケージ部分の再開口可能な閉鎖部を可能にするために前記パッケージ部分の少なくとも１つに配置される。磁性閉鎖部は１ｍｍ以下の距離で測定して約５０〜４００ガウスの磁場強度を有する。
【００１１】
本発明の一実施形態において、複数の製品を収容するためのパッケージが提供される。パッケージは、製品を分配するための開口端を有する第１の製品を収容するポケットを含む第１の部分を有するパッケージハウジングを備える。第２の部分はヒンジ部材により第１の部分に接続される。第１および第２の部分は、ポケットへのアクセスを提供する開口位置と、閉鎖位置との間にパッケージハウジングを配置するためにヒンジ部材において相互に折り畳み可能であり、第２の部分はポケットへのアクセスを防ぐ第１の部分と重なる。第１の部分および第２の部分は各々、それらに直接適用され、整列された対面関係に配置される相互に磁気的に引き合う材料を含む。磁性材料は、パッケージハウジングを閉鎖位置に開放可能に維持するために閉鎖位置において相互の磁性係合を提供する。
【００１２】
好ましくは、パッケージハウジングの第２の部分はまた、第２の開口している製品を収容するポケットを備える。
【００１３】
本発明はさらに、複数の細長い消費可能な製品を収容し、分配するためのパッケージアセンブリを提供する。パッケージアセンブリは製品を支持するためのパッケージハウジングを備える。パッケージハウジングはヒンジにより分離される第１の製品を収容する区画および第２の製品を収容する区画を備える。各々の製品を収容する区画はヒンジに対向する開口面を有する。製品を収容する区画は本のようにヒンジ周囲で折り畳み可能である。フレキシブルな材料が各々の区画に適用され、ヒンジ周囲で区画を閉鎖して折り畳むと、相互に磁性係合するように配置される。
【図面の簡単な説明】
【００１４】
【図１】図１は、開口状態で示した、ガムスラブを収容するための本発明のパッケージの一実施形態を示す斜視図である。
【図２】図２は、閉鎖状態における図１のパッケージの斜視図である。
【図３】図３は、閉鎖状態における図１のパッケージを示す端面図である。
【図４】図４は、閉鎖状態で示した図１のパッケージの反対端の図である。
【図５】図５は、閉鎖状態で示した図１のパッケージの反対端の図である。
【図６】図６は、パッケージにおける磁性材料の他の構成および配置のさらなる例を示す。
【図７】図７は、パッケージにおける磁性材料の他の構成および配置のさらなる例を示す。
【図８】図８は、パッケージにおける磁性材料の他の構成および配置のさらなる例を示す。
【図９】図９は、パッケージにおける磁性材料の他の構成および配置のさらなる例を示す。
【図１０】図１０は、パッケージに磁性材料を適用するためのさらなる位置を示す。
【図１１】図１１は、閉鎖部として磁性材料を利用するパッケージのさらなる実施形態を示す。
【図１２】図１２は、閉鎖部として磁性材料を利用するパッケージのさらなる実施形態を示す。
【図１３】図１３は、閉鎖部として磁性材料を利用するパッケージのさらなる実施形態を示す。
【図１４】図１４は、閉鎖部として磁性材料を利用するパッケージのさらなる実施形態を示す。
【図１５】図１５は、閉鎖部として磁性材料を利用するパッケージのさらなる実施形態を示す。
【図１６】図１６は、閉鎖部として磁性材料を利用するパッケージのさらなる実施形態を示す。
【図１７】図１７は、閉鎖部として磁性材料を利用するパッケージのさらなる実施形態を示す。
【図１８】図１８は、閉鎖部として磁性材料を利用するパッケージのさらなる実施形態を示す。
【図１９】図１９は、本発明のパッケージを形成するために使用される平らな紙板ブランクを示し、本発明に係る閉鎖部として使用される磁性材料を配置するための種々の技術を表す。
【図２０】図２０は、本発明のパッケージを形成するために使用される平らな紙板ブランクを示し、本発明に係る閉鎖部として使用される磁性材料を配置するための種々の技術を表す。
【図２１】図２１は、本発明のパッケージを形成するために使用される平らな紙板ブランクを示し、本発明に係る閉鎖部として使用される磁性材料を配置するための種々の技術を表す。
【図２２】図２２は、本発明のパッケージを形成するために使用される平らな紙板ブランクを示し、本発明に係る閉鎖部として使用される磁性材料を配置するための種々の技術を表す。
【図２３】図２３は、本発明のパッケージを形成するために使用される平らな紙板ブランクを示し、本発明に係る閉鎖部として使用される磁性材料を配置するための種々の技術を表す。
【図２４】図２４は、図１〜５のパッケージを形成するために使用される平らな紙板ブランクを示す。
【発明を実施するための形態】
【００１５】
本発明はパッケージングのための閉鎖部として磁性材料を利用する。磁性材料は、パッケージの閉鎖部が再開口できるように適用され、使用され得ることが意図される。その広範な態様において、本発明は、閉鎖される２つのパッケージング部分を保持するために磁性材料を利用する。それらのパッケージング部分が開口される場合、それらはパッケージの内容物へのアクセスを与える。
【００１６】
本明細書全体にわたって使用される場合、磁性材料という用語は、任意の種々の磁性材料および／または磁化可能な材料を指してもよい。そのような材料は、鋼、金属化箔などの特定の磁化されていない金属材料に磁気的に引きつけられ得る従来の磁石を含んでもよい。
【００１７】
別の好ましい態様において、磁性材料は互いに磁気的に引きつけられるように磁化可能である材料であってもよい。
【００１８】
より具体的には、本発明において、磁性材料は、配置され、組み込まれ、置かれ、吊り下げられ、埋め込まれ、またはそうでなければ結合材料もしくは担体によって保持される、限定されないが、フェライト部材などの磁性または磁化可能な要素を含んでもよい強磁性材料を含む、磁性特性および／または磁化可能な特性を有する任意の材料を含んでもよい。担体はパッケージへの磁性材料の配置を可能にする。フェライト材料は、磁化可能な目的のために担体内で移動性を有するように配置されてもよい。
【００１９】
担体材料は、例えば、接着、積層、塗装、インク、他の印刷材料、熱溶解およびそれらの組み合わせの特性を含み、および／または有してもよい。担体は、基板に材料を接着する形式で磁性材料をパッケージング基板上に、またはパッケージング基板内に置くことを可能にする。ポリマーおよび／またはワックスが、担体材料として使用されてもよく、また、接着担体としても機能し得る材料の例である。本明細書で使用する場合、結合剤または担体とは、それが基板に接着するように適用されるような接着剤を指す。例えば、ポリオレフィンおよびＥＶＡが接着担体として使用されてもよい。
【００２０】
磁性材料を基板（本明細書に示した例として、パッケージを形成するための紙板ブランクを含む）に配置する種々の方法は本発明の想定内である。例えば、そのような方法は、限定されないが、フェライトポリマー押出による直接被覆、艶出し（ｃａｌｅｎｄａｒｉｎｇ）、および／または磁気帯積層（図１９）、湿潤形態でコーティング組成を用いる直接移動（図２０）、市販のラベル機器を用いる感圧接着ラベル適用（図２１）、および例えば熱溶解銃または他の機器を用いる熱溶解堆積（図２２）を含んでもよい。そのような堆積またはコーティングは単層または多層で基板上に配置されてもよい。さらに、磁性材料はインクとして基板に適用されてもよい。紙板ブランク９１５、９２５、９３５、９４５、９５５のそれぞれにおける磁性材料９１０、９２０、９３０、９４０、９５０の種々の異なる形状、位置、構成および配置は、例として図１９〜２３に示すように意図される。他の構成および位置も本発明の想定内である。
【００２１】
パッケージ基板に配置される前、または配置された後のいずれかに磁性材料が磁化され得ることもさらに意図される。
【００２２】
担体を有するか、または有さない磁性材料が、パッケージ基板に直接配置され得ることもさらにも意図される。代替として、磁性材料は、後でパッケージ基板に配置される別個の層に配置されてもよい。例えば剛性磁気ディスクが公知の成形技術、例えば圧縮成形、押出成形および射出成形など（図２３）により形成されてもよい。ディスクは供給マガジンに配置されてもよい。ディスクは接着剤でコーティングされてもよく、次いで振動ボウルフィーダーおよび／またはピック配置機械などの従来の機器を用いてパッケージ基板に配置されてもよい。
【００２３】
使用され得る材料およびそのような材料を提供するための技術の非限定的な例は、以下の特許文献（それらの各々は全ての目的のために本明細書に参照として組み込まれる）：１９７５年７月２９日に発行された米国特許第３，８９７，２８８号、１９８４年１月２４日に発行された米国特許第４，４２７，４８１号、１９８７年９月１５日に発行された米国特許第４，６９３，７７５号、１９８９年５月３０日に発行された米国特許第４，８３５，６２４号、１９９８年６月９日に発行された米国特許第５，７６２，２６３号、２０００年１０月３日に発行された米国特許第６，１２７，００２号、２００４年８月１０日に発行された米国特許第６，７７４，１７１号、２００４年９月１４日に発行された米国特許第６，７９０，３７８号、２００６年１０月３１日に発行された米国特許第７，１２８，７９８号、２００８年３月４日に発行された米国特許第７，３３８，５７３号、および２００９年３月１０日に発行された米国特許第７，５０１，９２１号に示され、記載されている。
【００２４】
ここで図１〜５を参照すると、本発明の概念を利用する一実施形態は、複数の消費可能な製品を収容し、分配するためのパッケージを含む。本発明の実施形態において、製品は、必要に応じてその上に個々の包装紙を含んでもよいガムスラブを含んでもよい。パッケージは、そのパッケージがヒンジ部材のいずれかの側周囲で開放され、閉鎖され得る本のような構成に配置された一対の区画を含む。パッケージは、ヒンジ部材の両側で区画に適用される磁性材料の使用によって閉鎖位置において開放可能に維持される。
【００２５】
パッケージ１０はまた、そのパッケージの内容物を環境的に密封するオーバーラップ（図示せず）を備えてもよい。所望の場合、オーバーラップは開封明示ストリップを利用してもよい。
【００２６】
パッケージ１０は、パッケージハウジング１１５を含み、全体的に、平らなフレキシブルなブランクから折り畳まれる紙板材料から形成される。紙板が好ましい材料であるが、他の周知の材料およびそれらの組み合わせもまた、利用されてもよい。そのような材料としては、紙板、厚紙、積層、箔、プラスチックおよびそれらの組み合わせが挙げられ得る。本発明のパッケージ１０は、単一の平らな紙板ブランクまたは互いに固定される一対の紙板ブランクから形成されてもよい。
【００２７】
一つまたは複数の紙板ブランクは一対の区画１２および１４を形成するために図１に示した構成に配置される。区画１２および１４の各々は、それぞれ、製品収容ポケット１６および１８を形成する。ポケット１６および１８は、直列に並んだ配列で複数のガムスラブ２０を支持する。ガムスラブのこのような配置を示しているが、ポケット内のガムスラブの他の配置も意図される。ポケット１６および１８の各々は、それぞれの後壁２２および２４ならびに前壁２６および２８により画定される。後壁は支持されたガムスラブに対して完全に上方に延びるが、ガムスラブ２０を取って分配するための開口端３０および３２をそれぞれ提供するように前壁は部分的にのみ上方に延びる。開口端３０および３２は各々、開口上部延部３０ａ、３２ａおよび開口面３０ｂ、３２ｂを備える。開口端により画定される開口領域の範囲はスラブ２０の取り出しを容易にし得るのに十分である。開口ポケット１６および１８からガムスラブ２０を容易に取り出すことが意図されるが、スラブ２０は必要に応じて、例えばポケット１６および１８内の位置に適用される低温熱溶解糊などの取り外し可能な接着（図示せず）によってポケットに取り外し可能に保持されてもよい。端壁３２および３４、ならびにそれぞれの側壁３６、３８および４０、４２は開口端ポケット１６および１８に結合される。区画１２および１４の後壁２２および２４の各々は、上方に延びる端部５０および５２を有する。特に図１〜３に示すように、端部５０および５２は、組み立てられたパッケージハウジング１１を形成するために区画が別個のブランクにより形成される状態で重なり、一緒に固定され得る。図１に示すように、開口状態において、パケット１６および１８の開口端３０および３２は好ましくは対向した関係になる。
【００２８】
本明細書以下にさらに詳細に記載するように、端部５０および５２が重なる位置は、図１に示した開口状態から図２および３に示した閉鎖状態まで本のような形態のパッケージハウジング１１の折り畳み可能な閉鎖を提供するためのヒンジ部材５５を形成する。ヒンジ部材５５は、ヒンジ背柱５６およびそれらのいずれかの側の一対のヒンジジョイント５７および５８により画定される。図１〜３から理解され得るように、パッケージハウジング１１は、ガムスラブ２０を取ることができるようにし、開口ポケット１６および１８からガムスラブを分配するためにヒンジ部材５５周囲を本のような形式で開口され得る。パッケージハウジング１１は、開口ポケット１６および１８へのアクセスを防ぎ、そこからのガムスラブ２０の除去を防ぐように図２および３に示すように折り畳み可能に閉鎖された位置まで移動できる。このように、典型的な使用において、消費者は、１つ以上のガムスラブをパッケージハウジングから取り出すことを望むまで、パッケージハウジング１１を図２および３に示すように閉鎖された状態に維持する。その時に、消費者は、図１に示した開口状態までパッケージハウジング１１をヒンジ部材５５周囲で開口する。望ましい数のガムスラブ２０はポケット１６および１８からから取り出すことができ、次いで消費者は、図３に示した状態にパッケージハウジング１１を再び閉鎖することができる。パッケージは消費者の必要に応じて繰り返し開閉されるように設計される。
【００２９】
本発明のパッケージはヒンジ周囲で開口されるが、これらの区画の間の他の種類の開口可能な移動が意図される。そのような他の種類の構造は例えばスライドカバーを含んでもよい。
【００３０】
閉鎖した状態にパッケージハウジング１１を維持するために、本発明は区画１２および１４に適用される磁性材料を利用する。好ましくは、本発明の実施形態において、磁性材料は、上記に組み込んだ米国特許第７，１２８，７９８号および同第７，３３８，５７３号に、より十分に示され、記載される接着担体においてフェライト材料を有するフレキシブルな磁性材料である。使用される磁性材料は相互に磁気的に引きつけられるように後で磁化される磁化可能な材料である。特に図１に示されるように、区画１２および１４のそれぞれの前壁２６および２８は、好ましくはそれらの上に完全に配置される磁性接着材を含む。磁性材料は好ましくは、前壁２６および２８の外面全体に接着するストリップ６０および６２として直接適用される。したがって、図３および５に示すように、閉鎖した状態において、磁性接着のストリップ６０および６２は並べられた対向関係に配置される。
【００３１】
上記のように、１つの好ましい実施形態において、磁性材料は、磁化可能な目的のために担体内での移動のために結合剤または担体に配置されるフェライト材料を含んでもよい。また、フェライトが担体に並べられ、後で基板上でより完全に磁化されるように、磁性材料はパッケージ基板上に配置されてもよいことが意図される。
【００３２】
図２４は、図１〜５に示したパッケージ１０を形成するために使用される平らな紙板ブランクを示す。単一のブランクを示しているが、一実施形態において２つの同一のブランクがパッケージ１０を形成するために使用されることは理解され得る。
【００３３】
図１に示した部分１２、１４の１つを形成するためにブランク８０が使用される。ブランク８０は折り畳み可能な前壁８６ならびに折り畳み可能な側壁８７および８９を含む。ブランク１０’は一致するブランクと共にヒンジを形成する端部５０’を含む。側壁および前壁はポケット１６、１８の１つを形成するように折り畳まれる。
【００３４】
例えば、ストリップ６０、６２を形成する磁性材料は折り畳み可能な前壁８６に配置される。基板に磁性材料を配置する際に、結合剤におけるフェライトは弱い磁場を提供して並べられる。磁性材料が本明細書以下に説明する磁場強度を有して、より完全に磁化されるように、この状態の磁性材料は後の磁化に供される。完全な磁化の前に弱い磁場が、５０ガウス未満の最大磁場強度を有することが意図される。この弱い磁場強度はプロセスの間の基板の取り扱いを容易にし得る。
【００３５】
パッケージに対して磁性接着を適用するために使用される技術および材料を磁化する方法の例は概して上記に組み込んだ米国特許第７，５０１，９２１号に記載されている。
【００３６】
図１〜５に示したパッケージ１０を再び参照して、最終的に完全に磁化した状態において、磁性材料から形成されるストリップ６０および６２は互いに磁気的に引きつけられるので、パッケージハウジング１１が閉鎖された状態に配置される場合、パッケージハウジングはストリップの磁力により、その状態において開放可能に保持される。しかしながら、この磁力はパッケージハウジング１１を閉鎖された状態に維持しながら、それは消費者により容易に開放され得、パッケージハウジングは閉鎖された状態から開口された状態まで連結（ａｒｔｉｃｕｌａｔｅ）され得る。
【００３７】
本発明の閉鎖は、使用者によりパッケージをより容易に開閉し、閉鎖の１つ以上の触知性、視覚性および可聴性（「カチッという音」）を提示することを意図される。
【００３８】
磁性材料の保持特性は、例えば、ストリップ６０、６２についての磁場（電界）の強度、フェライト材料の磁性、担体材料内のフェライト材料の流動性、フェライト材料内の磁区の磁化性、リニアインチ当たりの極における磁場の構成、担体内の磁性材料の量、ストリップの厚さ、対向する閉鎖面における磁性材料の量、パッケージが閉鎖される場合の対向面における磁性材料の重なりおよび配列に依存し得る。このような構成により、パッケージが閉鎖された場合の所望の保持強度、すなわちパッケージを開口するのに望まれる最小または最大の力を決定できる。
【００３９】
完全に磁化される磁性材料の磁場強度は、質量、形状、位置、磁化する極の構成により影響を受け、本発明は、リニアインチ当たりの２２個の交互の極、磁気飽和効率、磁気整列効率、利用される磁性材料のサイズおよび種類である。本発明の実施形態において、約５０ガウス以上の磁場強度が提供される。磁場強度は磁性材料の表面から１ｍｍ程の距離にて測定される。当該技術分野において、標準的なガウスメーターがこのような測定を行うために使用される。約５０ガウスまたはそれ以上の磁場強度が意図されるが、より好ましい範囲は５０〜４００ガウスであり、最も好ましい範囲は１００〜２００ガウスであると意図される。この磁場強度は、例えば８ミル厚、２１．５ｍｍ幅および８５ｍｍ長であるストリップ６０および６２により生成される。磁場強度は望ましくは、出荷の間に閉鎖された状態にパッケージを維持するのに十分である。例えば、パッケージが区画１２または１４のうちの１つでつかまれ、もう一方の区画が下方に配置される場合、区画は重力下で開口しないように磁場強度は十分であるべきである。
【００４０】
しかしながら、利用される磁場強度は、パッケージが、ヒンジ部材５５周囲の区画１２および１４の手動の操作で消費者により容易に開口されるようにしなければならない。ストリップ６０および６２の構造、構成および磁場強度は、区画１２および１４が簡便に片方の手で操作することにより開口され得ることを意図される。区画１２および１４は、例えば、ヒンジ部材５５の周囲でそれを開口するように閉鎖された区画の間でスライド式に親指または指の爪を用いることによって消費者により開口され得る。
【００４１】
本発明の好ましい実施形態において、磁性ストリップ６０および６２を分離するのに必要な力としても表され得る２つのストリップ６０および６２の間の保持力は１０ｍｇ／ｍｍ２以上であるように選択される。そのような保持力により、パッケージを重力下で、通常の出荷の間、閉鎖した状態に維持し、さらに消費者により簡便に開口され得る。このような必要な保持力を算出する際に、特定の要因が考慮される。それらの要因は、ヒンジからの磁性ストリップの距離、ヒンジからのパッケージに含まれる製品の距離、充填されたパッケージの質量、および磁性ストリップの表面積を含む。
【００４２】
さらに、閉鎖された状態における磁性ストリップ６０および６２の磁場強度は適切な閉鎖を維持するのに十分であるべきであるが、そこからある距離で磁場強度は急速に消散するはずである。本発明は、磁性材料の表面から約５ｍｍの距離で測定した場合、磁場強度が１０ガウス程であるように磁性ストリップ６０および６２についての磁場強度を選択する。
【００４３】
好ましい磁場強度の上限は４００ガウスを超えないように選択される。４００ガウスの上限、より好ましくは３００ガウスの上限で磁場強度を提供することによって、ストリップから離れた短い距離で磁場強度が急速に消散することが保証する。例えば、パッケージは、そのパッケージに望ましくない磁気的に引きつけられる材料を引きつけない。さらに、磁性材料は、その磁性材料と直接（またはほぼ直接）接触し得る物品に悪影響を与えない。そのような物品としては、限定されないが、クレジットカード、地下鉄カード、ホテルカード、および磁性ストリップを有する他の物品が挙げられる。また、磁場強度は５ｍｍで約１０ガウス程に消散するので、それはまた、近接近で磁気妨害の影響を受けやすい特定の装置に悪影響を与えない。
【００４４】
上記のように、本発明のパッケージは好ましくは、上に包装紙を有するガムスラブと共に使用される。包装紙と閉鎖部として使用される磁性接着材との間に磁気妨害が存在しないため、磁気的に引きつけられない包装紙が好ましい。しかしながら、磁気的に引きつけられる包装紙が利用されてもよいことも意図される。包装紙の間の磁力は、軽い磁力下でわずかな保持力がポケット内の包装されたスラブを開放可能に保持するように提供されるように選択され得る。
【００４５】
磁性接着材料のストリップ６０および６２は好ましくは、区画１２および１４の前壁２６および２８の全体を覆って示されているが、磁性接着材料の他の構成も本発明の範囲内に意図され、その例を以下に記載する。
【００４６】
本発明の磁性閉鎖は、パッケージに適用される開放可能な接着剤と併せて使用されてもよいこともさらに意図される。例えば、本明細書の図に示したパッケージに関して、磁性材料についての位置は別の位置を含んでもよい。そのような位置は磁性材料を含んでもよく、開放可能な接着剤を含む位置と別であってもよい。それらの開放可能な接着剤はパッケージングの分野において周知の種類のものであり、粘着性を含む低い粘着性タックを含んでもよい。開放可能な接着剤はパッケージの部分間で比較的弱い再開口可能な接着係合を提供してもよい。この係合は、低い磁場を有する磁性材料などの本明細書に記載される磁性材料の使用により補助され得る。利用される接着剤のタックは、パッケージのための所望の保持能力を得るために使用され得るいくつかの可変物のうちの１つであってもよい。
【００４７】
さらに、基板への接着に加えて、上記の磁性材料は、それ自体また、適用された磁性材料が弱い接着閉鎖および磁性閉鎖の両方として機能するように、開放可能な接着特性を提供できることが意図される。いずれかの状態における接着閉鎖および磁性閉鎖の組み合わせが、所望の再開口可能な本発明のパッケージの閉鎖を提供することが意図される。
【００４８】
図６〜９を参照すると、磁性材料の他の構成の種々の非限定的な例が、パッケージ１０の区画１２および１４の前壁２６および２８に適用されて示される。それらの図に示されるパッケージに関して、磁性材料の位置および構成は、図６および９に示したように前壁２６および２８に対して同一であってもよく、または図７および８に示したように異なってもよい。この例において、磁性材料の構成は、前壁２６および２８を閉鎖するように手動で係合可能なように配置されることのみを必要とする。それに関して、図６〜９における区画１２および１４の前壁２６および２８における磁性材料の構成は例としてのみ示す。他の構造および構成も意図される。
【００４９】
図６に示すように、任意の構成の種々のラインパターン１５が使用されてもよい。図９において、ドット（点）１９などが利用される。また、図７および８において、前壁２６を完全に含まないストリップ６２ａの使用が示される。さらに、図７および８に示すように、磁性材料のパターンおよび構成は前壁２６と前壁２８との間で一致することを必要としない。
【００５０】
パッケージハウジングにおける磁性材料の構成のさらなる例を図１０に示す。パッケージ１０’は、上記のパッケージハウジングと実質的に同様のパッケージハウジング１１’を含む。パッケージハウジング１１’は１つ以上の平らなブランクから区画１２’および１４’を形成する構成に折り畳まれる。パッケージハウジング１１が形成されるブランク（複数も含む）は、折り畳み可能な側方フラップ２１’、２３’および２５’、２７’を含む。これらのフラップは内側に折り畳まれ、前壁２６’および２８’はそれらの上に折り畳まれる。従来のパッケージ形成において知られているように、前壁２６’および２８’の内側を区画のそれぞれのフラップに固定するために従来の接着剤が使用される。
【００５１】
本発明は、前壁をフラップに結合する接着およびパッケージハウジング１１’の磁性閉鎖を提供するのに必要な磁性接着を提供する両方の機能をするように側方フラップに適用される磁性接着材の使用を意図する。磁性接着領域２９’はこのような形式で、ならびにその上に折り畳まれる場合、前壁２６’および２８’がそれらに接着し、区画１２’および１４’を形成する位置で側方フラップの面に適用されてもよい。磁性接着材は、それが前壁２６’および２８’により覆われる場合でさえも、磁場強度がパッケージハウジング１１’を閉鎖した状態に維持するために区画１２’と１４’との間に十分な磁力を与えるように、十分な磁性特性および／または厚さを有するように選択されることが意図される。
【００５２】
磁性材料が前壁２６’および２８’の内側に適用されてもよいことがさらに意図される。この例において磁性材料は、パッケージの間の２層の紙板と共に閉鎖されたパッケージを保持するのに十分である。
【００５３】
パッケージハウジングを形成するために使用される接着材が磁性閉鎖を提供するために使用され得るような磁性材料および／または磁性接着材の他の配置および位置も本発明により意図される。
【００５４】
上記の実施形態は、閉鎖部として磁性材料を利用するパッケージの一例を示しているが、本発明はそれらに限定されない。図１１〜１３を参照して、パッケージの他の実施形態は、分配開口部上で折り畳み可能なフラップを閉鎖するために本明細書に記載される種類の磁性閉鎖部を利用してもよい。
【００５５】
図１１に関して、パッケージ１１０は、対向した形式で配置される複数のガムスラブ１１３を収容するためのパッケージハウジング１１１を含む。パッケージ１１０は、ガムスラブを支持し、金属化箔、紙などから形成され得るパケット１１４を含む。パケットはパケット１１４周囲を覆うカバー１１６により囲まれる。紙板から形成されるカバーは前壁１１８および開口可能なフラップ１２０を画定する。上記に参照した米国特許第７，５３３，７７３号に示され、記載されるように、フラップ１２０はフラップを持ち上げてパケット１１４を開口するために使用される。本明細書に示したカバーを再び閉鎖するために、磁性材料が利用されてもよい。一例において、カバー１１２は、その内面に、磁性材料のディスクまたはドット１３０（または複数のドット）を備えてもよい。しかしながら、磁性材料は上記の任意の構造および構成に含まれてもよい。ドット１３０は、カバー１１６の前壁１１８上でフラップ１２０の磁性閉鎖を可能にするように同様のドット１３２と係合する。
【００５６】
さらなるパッケージングの実施形態を図１２を参照して示す。この実施形態において、パッケージ２１０は並んだ形式で複数のガムスラブ２１３を支持する。平らなブランクは、下側区画２１４および上方に延びる折り畳み可能なフラップ２１６を画定するパッケージハウジング２１１になる。フラップはガムスラブを区画内に閉鎖するために区画の開口端上で折り畳まれ得る。この構造のパッケージハウジングは同一出願人による米国特許第７，３２５，６８６号および同第７，８１１，６１４号に示され、記載されている。フラップ２１６を下側区画２１４上で閉鎖した状態に維持するために、上記の磁性材料を利用する。磁性材料は上記の任意の構造に適用され、配置されてもよい。例として、磁性材料は、フラップ２１６の内壁に磁性材料のストリップ２３０および下側区画２１４の前壁２２６に磁性材料の対応するストリップ２３２を含んでもよい。フラップ２１６のストリップ２３０はフラップの磁性閉鎖を可能にするために前壁２２６のストリップ２３２と係合する。
【００５７】
図１３において、上記に参照した’７１７特許に示され、記載されるようなパッケージング実施形態が示される。この実施形態のパッケージ３１０は、相互に折り畳み可能（矢印Ａ）な一対の区画３１２および３１４を有するパッケージハウジング３１１を含む。’７１７特許に記載されているように、区画３１２および３１４はまた互いに分離される。各区画は並んだ形式で複数のガムスラブ３１５を支持する。折り畳まれた区画３１２および３１４に対して折り畳み可能なフラップ３１６の閉鎖、ならびに区画３１４がそこから取り除かれる場合、区画３１２の閉鎖を可能にする閉鎖部を形成するために磁性材料が使用されてもよい。
【００５８】
再び、上記のような磁性材料の任意の構造および配置が利用されてもよい。例として、フラップ３１６の内壁は磁性接着ドット３３０を備えてもよい。ドット３３０は、区画３１４が取り除かれた状態で、上側区画３３６上でフラップを閉鎖するために上側区画３１２の前壁３３６で同様のドット３３２と係合する。区画３１２および３１４が取り付けられ、折り畳まれた状態において、区画３１４の背面（図示せず）もまた、折り畳まれた区画上でフラップを閉鎖するためにフラップ３１６の接着ドット３３０と係合するための並べられた接着ドット（図示せず）を備えてもよい。区画の単独または一緒の閉鎖の種々の構成を可能にするように磁性材料の位置の他の構成が提供されてもよい。
【００５９】
ここで図１４を参照すると、図１２に関して記載したパッケージ２１０と実質的に同様のパッケージ４１０が示される。本発明の実施形態において、パッケージ４１０は並んだ形式で複数のガムスラブ４１３を支持する。平らなブランクが、上方に延びた折り畳み可能なフラップ４１６において下側区画４１４を画定するパッケージハウジング４１１に形成される。フラップは、中にガムスラブを封入する区画の開口端上で折り畳まれ得る。下側区画４１４上で閉鎖した状態にフラップ４１６を維持するために、磁性材料が利用される。
【００６０】
本発明の例示した実施形態において、磁性材料のストリップ４３０は、下側区画４１４の前壁４２６における磁性材料の対応するストリップ４３２と係合するために壁フラップ４１６の外側に配置されてもよい。ストリップは上記のように磁性材料から形成される。このような係合を提供するために、フラップ４１６の遠位端４１６ａはフラップ４１６を下側区画上に折り畳む前に内側に折り畳まれる。これにより、ストリップ４３０はストリップ４３２と係合した配置になる。これは上記のように再開口可能な閉鎖を提供する。図１４に関して記載した実施形態により、パッケージハウジング４１１を形成する平らな紙板ブランクの同じ表面におけるストリップ４３０および４３２の配置が可能となる。
【００６１】
ここで図１５を参照すると、フリップタイプのパッケージカートンが示される。カートン５１０は下側箱状の容器５１４および上側フリップタイプの閉鎖部５１６を含む。閉鎖部５１６は、その開口端５１３にて容器５１４にヒンジで接続される。容器５１４の前壁５１５の上端は磁性材料のストリップ５３０を備える。同様に、フリップタイプの閉鎖部５１６の前壁の内側は磁性材料のストリップ５３２を備える。ストリップは上記のような磁性材料から形成される。ストリップ５３０および５３２は、上記のような容器５１４と共にフリップタイプの閉鎖部の再開口可能な閉鎖部を提供するように手動で係合可能である。
【００６２】
ここで図１６を参照すると、ヒンジで連結されたブリスターパッケージ６００が示される。ヒンジで連結されたブリスターパッケージは、従来のブリスタートレイ６１１および６１３を収容する一対のブリスタースリーブ６１０および６１２を備える。スリーブは、ブリスタースリーブの分離も可能にし得る、ミシン目のヒンジライン６２０にてヒンジで取り付けられる。ブリスタースリーブの隣接する表面は磁性材料のストリップ６３０を備えてもよい。ストリップは上記のような磁性材料から形成される。ブリスタースリーブがミシン目のヒンジラインに沿って内側に折り畳まれる場合、ブリスタースリーブがストリップにより折り畳まれた状態に保持され得るように、ストリップは配置される。ストリップの使用によりミシン目のヒンジラインにおける分離後でさえ、ブリスタースリーブが互いに取り付けられ得ることもさらに意図される。本実施形態のブリスターパッケージは、全体的に同一出願人による米国特許出願第２００８／００５３８５８Ａ１号および同第２００８／００５３８６３Ａ１号（それらの開示は全ての目的のために本明細書に参照として組み込まれる）に示し、記載した種類のものである。
【００６３】
ここで図１７を参照すると、カートン７００が示される。カートン７００は、従来の形式でフラップ７１４で閉鎖される開口上端７１２を有する箱７１１の基本構造を有する。本発明の実施形態において、重なるように設計されるフラップのうちの２つは、上記のような磁性材料のストリップ７３０を備えてもよい。上記のような再開口可能な閉鎖を提供するために、矢印Ｂにより示されるように重なるフラップが折り畳まれる場合、ストリップは係合するように配置される。
【００６４】
ここで図１８を参照すると、ポーチの形態のパッケージ８００が、製品を保持するための下側本体８１０および上側に延びる折り畳み可能なフラップ８１２を備える。フラップ８１２は、ポーチにおいて上側開口部８１４を覆うように下側（矢印Ｃ）に折り畳まれる。本発明は、上記のような開口端の再開口可能な閉鎖を可能にするためにフラップおよびポーチの両方に上記のような磁性材料のストリップ８２０を配置することを意図する。
【００６５】
上記の実施形態は非限定的な例として示す。本発明は、パッケージの磁性閉鎖を可能にするために様々なパッケージハウジングと共に利用され得る。本明細書に記載されるように、本発明は特にガムパッケージに対して有用である。ガムパッケージの様々な他の構造もまた、本発明の磁性閉鎖を利用してもよい。本発明の磁性閉鎖を利用できるガムパッケージの非限定的な例は以下の通りである：２００３年１２月２３日に発行された米国特許第Ｄ４８４０４６号、２００６年３月７日に発行された米国特許第Ｄ５１６，４２２号、２００６年５月３０日に発行された米国特許第Ｄ５２１，８６２号、２００６年１１月７日に発行された米国特許第Ｄ５３１，４９８号、２００７年６月２６日に発行された米国特許第Ｄ５４５，１８８号、２０１０年６月１３日に発行された米国特許第Ｄ６１９，４５４号、２００３年５月１日に公開された米国特許公開第２００３／００８００２０号、および２００５年１０月６日に公開された米国特許公開第２００５／０２１８２０１号。
【００６６】
例として本明細書上記に記載したガムパッケージに加えて、本発明の磁性閉鎖は、バッグの開口部を磁性材料を用いて閉鎖できる、バッグなどの様々な他のパッケージ構造に使用されてもよい。
【００６７】
また、再開口可能な「フィン」閉鎖が閉鎖機構として磁性材料を使用して構築されてもよい。
【００６８】
項目
項目１
内容物を含み、分配するためのパッケージであって、
前記内容物を収容するためのパッケージ内部を有するハウジングと、
前記パッケージ内部にアクセスするための開口部を画定する一対のパッケージハウジング部分と、
前記パッケージ部分の再開口可能な閉鎖を可能にするための前記パッケージ部分の少なくとも１つに適用される磁性材料から形成される閉鎖部であって、前記閉鎖部は、１ｍｍ以下の距離で測定して約５０〜４００ガウスの磁場強度を有する、閉鎖部と、
を含む、パッケージ。
項目２
前記磁場強度は約５ｍｍの距離で測定して約１０ガウス以下である、項目１に記載のパッケージ。
項目３
前記磁場強度は約３００ガウスの上限を有する、項目１に記載のパッケージ。
項目４
前記磁場強度は約１００〜２００ガウスである、項目１〜３に記載のパッケージ。
項目５
前記磁性材料は少なくとも１つの前記パッケージ部分に配置された磁性接着材である、項目１〜４に記載のパッケージ。
項目６
前記磁性材料はフレキシブルである、項目１〜５に記載のパッケージ。
項目７
前記磁性材料を含む前記一対のパッケージ部分の各々はフレキシブルである、項目１〜６に記載のパッケージ。
項目８
前記パッケージハウジングは、
製品を含む第１の区画および製品を含む第２の区画であって、前記第１および第２の区画は、開口位置と閉鎖位置との間で動くようにヒンジにより折り畳み可能に結合される、第１の区画および第２の区画を備え、
前記第１の区画および第２の区画の各々は、前記閉鎖状態において磁性係合するように配置されるフレキシブルな磁石を含む、項目１〜７に記載のパッケージ。
項目９
前記パッケージハウジングは、前記パッケージ内部を画定する区画を備え、前記区画は開口部および折り畳み可能なフラップを有し、前記フラップは、前記区画の前記開口部を覆うように折り畳み可能であり、
前記磁性材料は、前記区画と共に前記フラップの開口可能な閉鎖を提供する、項目１〜６に記載のパッケージ。
項目１０
製品を分配するための開口端を有するポケットを収容する第１の製品を含む第１の部分、およびヒンジ部材により前記第１の部分に接続される第２の部分を有するパッケージハウジングを備える、複数の製品を収容するためのパッケージであって、
前記第１の部分および前記第２の部分は、前記ポケットへのアクセスを与える開口位置と、閉鎖位置との間の前記パッケージハウジングの連結を可能にするために前記ヒンジ部材周囲で相互に移動可能であり、前記第２の部分は、前記ポケットに対してアクセスを提供する前記第１の部分と重なり、
前記第１の部分および前記第２の部分の各々は、それらに直接適用され、前記閉鎖状態において前記パッケージハウジングを開放可能に維持するために前記閉鎖位置において相互の磁性係合のために整列された対面関係で配置される相互に磁気的に引きつけられる磁性材料を含む、パッケージ。
項目１１
前記パッケージハウジングの前記第２の部分は、製品収容ポケットの第２の開口端を備える、項目１０に記載のパッケージ。
項目１２
前記パッケージハウジングは、少なくとも１つの平らなブランクから形成される、項目１０〜１１に記載のパッケージ。
項目１３
前記平らなブランクは、紙板から形成される、項目１２に記載のパッケージ。
項目１４
前記区画の前記ポケットの前記開口端は、前記開口状態において対向して配置される、項目１０〜１３に記載のパッケージ。
項目１５
前記パッケージハウジングは、一対の平らなブランクから形成される、項目１０〜１１に記載のパッケージ。
項目１６
前記平らなブランクの各々は、前記第１の区画および前記第２の区画の１つを形成する、項目１５に記載のパッケージ。
項目１７
前記第１の区画および前記第２の区画の各々は前壁を備え、前記磁性材料は前記前壁に配置される、項目１１〜１６に記載のパッケージ。
項目１８
前記磁性材料は前記前壁を覆う、項目１７に記載のパッケージ。
項目１９
製品を支持するためのパッケージハウジングと、
各区画に接着して適用され、ヒンジ周囲で前記区画を閉鎖可能に折り畳むと、相互に磁性係合するように配置されるフレキシブルな磁性材料と、
を含む、複数の細長い消費可能な製品を収容し、分配するためのパッケージアセンブリであって、
前記パッケージハウジングは、前記ヒンジにより分離される第１の製品を収容する区画および第２の製品を収容する区画を備え、
各々の前記製品を収容する区画は前記ヒンジに隣接する開口端を有し、前記製品を収容する区画は本のような形式で前記ヒンジ周囲で折り畳み可能である、パッケージ。
項目２０
前記フレキシブルな磁性材料は、１ｍｍ以下の距離で測定して、約５０ガウス以上の磁場強度を有する、項目１９に記載のパッケージアセンブリ。
項目２１
前記磁場強度は約５０〜４００ガウスである、項目１９に記載のパッケージアセンブリ。
項目２２
前記磁場強度は約１００〜２００ガウスである、項目１９に記載のパッケージアセンブリ。
項目２３
前記磁場強度は約５ｍｍの距離で約１０ガウス以下である、項目１９に記載のパッケージアセンブリ。
項目２４
前記磁場強度は約３００ガウスの上限を有する、項目１９に記載のパッケージアセンブリ。
項目２５
前記パッケージハウジングは片手の操作で開口可能である、項目１９〜２４に記載のパッケージアセンブリ。
項目２６
前記磁性材料は、重力下で閉鎖した前記ハウジングを維持するのに十分な磁場強度を有する、項目１９〜２５に記載のパッケージアセンブリ。
項目２７
フレキシブルな磁性材料の前記相互の磁性係合は可聴表示を生じる、項目１９〜２６に記載のパッケージアセンブリ。
項目２８
各々の前記製品区画は、前記開口端により画定される開口領域および閉鎖領域を備え、前記開口領域は前記閉鎖領域より大きい、項目１９〜２８に記載のパッケージアセンブリ。
項目２９
前記閉鎖領域は前壁により画定される、項目２８に記載のパッケージアセンブリ。
項目３０
前記前壁は、前記前壁に適用される前記磁性材料を備える、項目２９に記載のパッケージアセンブリ。
項目３１
前記磁性材料は前記前壁全体に適用される、項目２９に記載のパッケージアセンブリ。
項目３２
背壁を画定する基板と、前記基板が製品を収容するポケットを形成するように折り畳み可能である折り畳み可能な前延部と、
前記折り畳み可能な前延部に適用される磁化可能な材料であって、前記磁化可能な材料はポリマー担体内にフェライトを含み、前記磁化可能な材料は前記基板上で後で磁化に供される、磁化可能な材料と
を含む、消費可能な物品のためのパッケージの作製に使用するブランク。
項目３３
前記磁化可能な材料は約５０ガウス以下の最大磁場強度を有する、項目３２に記載のブランク。
項目３４
前記折り畳み可能な延部は前記ポケットの前壁を形成する、項目３２に記載のブランク。
項目３５
適用される前記磁化可能な材料を備える前記折り畳み可能な延部はフレキシブルである、項目３２に記載のブランク。
項目３６
前記基板が紙板から形成される、項目３２に記載のブランク。
項目３７
前記磁性材料が前記基板に接着して適用される、項目３１に記載のブランク。
項目３８
ヒンジにより分離される第１の製品を収容する区画および第２の製品を収容する区画を有する消費可能な製品パッケージであって、各々の前記製品を収容する区画は、背壁、前壁および開口面を有し、開口位置と閉鎖位置との間で前記ヒンジ周囲で折り畳み可能であるパッケージにおいて、前記パッケージのための磁性閉鎖を提供する方法であって、
各々の前記区画に収容される製品の重心を決定する工程と、
前記重心から前記ヒンジまでの距離を決定する工程と、
前記ヒンジから各々の前記前壁までの距離を決定する工程と、
重力下で前記パッケージを前記閉鎖位置に維持し、容器による前記パッケージの手動による開口を可能にするのに十分な質量を有する前記前壁上に相互に引き合う磁性材料を配置する工程と、
を含む、方法。
項目３９
消費可能な製品を収容するための一対のパッケージハウジング部分の間の内部を画定する一対のパッケージハウジング部分と、
前記一対のパッケージハウジング部分の再開口可能な閉鎖を可能にするために各々のパッケージハウジング部分に適用される閉鎖部と、
を含む、複数の消費可能な製品を収容するためのパッケージであって、
前記閉鎖部は、前記パッケージハウジング部分を接着して閉鎖するための接着材料および前記パッケージハウジング部分を磁気的に閉鎖するための磁性材料を含む、パッケージ。
項目４０
前記接着材料は前記磁性材料を含む、項目３９に記載のパッケージ。
【００６９】
上記および示した構造に対する種々の変更はここで当業者に明らかとなるであろう。したがって、本発明の特に開示される範囲は添付の特許請求の範囲に記載される。
【図１】
2013544720.tif 000003
【図２】
2013544720.tif 000004
【図３】
2013544720.tif 000005
【図４】
2013544720.tif 000006
【図５】
2013544720.tif 000007
【図６】
2013544720.tif 000008
【図７】
2013544720.tif 000009
【図８】
2013544720.tif 000010
【図９】
2013544720.tif 000011
【図１０】
2013544720.tif 000012
【図１１】
2013544720.tif 000013
【図１２】
2013544720.tif 000014
【図１３】
2013544720.tif 000015
【図１４】
2013544720.tif 000016
【図１５】
2013544720.tif 000017
【図１６】
2013544720.tif 000018
【図１７】
2013544720.tif 000019
【図１８】
2013544720.tif 000020
【図１９】
2013544720.tif 000021
【図２０】
2013544720.tif 000022
【図２１】
2013544720.tif 000023
【図２２】
2013544720.tif 000024
【図２３】
2013544720.tif 000025
【図２４】
2013544720.tif 000026
【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
内容物を含み、分配するためのパッケージであって、
前記内容物を収容するためのパッケージ内部を有するハウジングと、
前記パッケージ内部にアクセスするための開口部を画定する一対のパッケージハウジング部分と、
前記パッケージ部分の再開口可能な閉鎖を可能にするための前記パッケージ部分の少なくとも１つに適用される磁性材料から形成される閉鎖部であって、前記閉鎖部は、１ｍｍ以下の距離で測定して約５０〜４００ガウスの磁場強度を有する、閉鎖部と、
を含む、パッケージ。
【請求項２】
前記磁場強度は約５ｍｍの距離で測定して約１０ガウス以下である、請求項１に記載のパッケージ。
【請求項３】
前記磁場強度は約３００ガウスの上限を有する、請求項１に記載のパッケージ。
【請求項４】
前記磁場強度は約１００〜２００ガウスである、請求項１に記載のパッケージ。
【請求項５】
前記磁性材料は少なくとも１つの前記パッケージ部分に配置された磁性接着材である、請求項１に記載のパッケージ。
【請求項６】
前記磁性材料はフレキシブルである、請求項５に記載のパッケージ。
【請求項７】
前記磁性材料を含む前記一対のパッケージ部分の各々はフレキシブルである、請求項６に記載のパッケージ。
【請求項８】
前記パッケージハウジングは、
製品を含む第１の区画および製品を含む第２の区画であって、前記第１および第２の区画は、開口位置と閉鎖位置との間で動くようにヒンジにより折り畳み可能に結合される、第１の区画および第２の区画を備え、
前記第１の区画および第２の区画の各々は、前記閉鎖状態において磁性係合するように配置されるフレキシブルな磁石を含む、請求項１に記載のパッケージ。
【請求項９】
前記パッケージハウジングは、前記パッケージ内部を画定する区画を備え、前記区画は開口部および折り畳み可能なフラップを有し、前記フラップは、前記区画の前記開口部を覆うように折り畳み可能であり、
前記磁性材料は、前記区画と共に前記フラップの開口可能な閉鎖を提供する、請求項１に記載のパッケージ。
【請求項１０】
製品を分配するための開口端を有するポケットを収容する第１の製品を含む第１の部分、およびヒンジ部材により前記第１の部分に接続される第２の部分を有するパッケージハウジングを備える、複数の製品を収容するためのパッケージであって、
前記第１の部分および前記第２の部分は、前記ポケットへのアクセスを与える開口位置と、閉鎖位置との間の前記パッケージハウジングの連結を可能にするために前記ヒンジ部材周囲で相互に移動可能であり、前記第２の部分は、前記ポケットに対してアクセスを提供する前記第１の部分と重なり、
前記第１の部分および前記第２の部分の各々は、それらに直接適用され、前記閉鎖状態において前記パッケージハウジングを開放可能に維持するために前記閉鎖位置において相互の磁性係合のために整列された対面関係で配置される相互に磁気的に引きつけられる磁性材料を含む、パッケージ。
【請求項１１】
前記パッケージハウジングの前記第２の部分は、製品収容ポケットの第２の開口端を備える、請求項１０に記載のパッケージ。
【請求項１２】
前記パッケージハウジングは、少なくとも１つの平らなブランクから形成される、請求項１０に記載のパッケージ。
【請求項１３】
前記平らなブランクは、紙板から形成される、請求項１２に記載のパッケージ。
【請求項１４】
前記区画の前記ポケットの前記開口端は、前記開口状態において対向して配置される、請求項１０に記載のパッケージ。
【請求項１５】
前記パッケージハウジングは、一対の平らなブランクから形成される、請求項１０に記載のパッケージ。
【請求項１６】
前記平らなブランクの各々は、前記第１の区画および前記第２の区画の１つを形成する、請求項１５に記載のパッケージ。
【請求項１７】
前記第１の区画および前記第２の区画の各々は前壁を備え、前記磁性材料は前記前壁に配置される、請求項１１に記載のパッケージ。
【請求項１８】
前記磁性材料は前記前壁を覆う、請求項１７に記載のパッケージ。
【請求項１９】
製品を支持するためのパッケージハウジングと、
各区画に接着して適用され、ヒンジ周囲で前記区画を閉鎖可能に折り畳むと、相互に磁性係合するように配置されるフレキシブルな磁性材料と、
を含む、複数の細長い消費可能な製品を収容し、分配するためのパッケージアセンブリであって、
前記パッケージハウジングは、前記ヒンジにより分離される第１の製品を収容する区画および第２の製品を収容する区画を備え、
各々の前記製品を収容する区画は前記ヒンジに隣接する開口端を有し、前記製品を収容する区画は本のような形式で前記ヒンジ周囲で折り畳み可能である、パッケージ。
【請求項２０】
前記フレキシブルな磁性材料は、１ｍｍ以下の距離で測定して、約５０ガウス以上の磁場強度を有する、請求項１９に記載のパッケージアセンブリ。
【請求項２１】
前記磁場強度は約５０〜４００ガウスである、請求項１９に記載のパッケージアセンブリ。
【請求項２２】
前記磁場強度は約１００〜２００ガウスである、請求項１９に記載のパッケージアセンブリ。
【請求項２３】
前記磁場強度は約５ｍｍの距離で約１０ガウス以下である、請求項２０に記載のパッケージアセンブリ。
【請求項２４】
前記磁場強度は約３００ガウスの上限を有する、請求項２０に記載のパッケージアセンブリ。
【請求項２５】
前記パッケージハウジングは片手の操作で開口可能である、請求項１９に記載のパッケージアセンブリ。
【請求項２６】
前記磁性材料は、重力下で閉鎖した前記ハウジングを維持するのに十分な磁場強度を有する、請求項１９に記載のパッケージアセンブリ。
【請求項２７】
フレキシブルな磁性材料の前記相互の磁性係合は可聴表示を生じる、請求項１９に記載のパッケージアセンブリ。
【請求項２８】
各々の前記製品区画は、前記開口端により画定される開口領域および閉鎖領域を備え、前記開口領域は前記閉鎖領域より大きい、請求項１９に記載のパッケージアセンブリ。
【請求項２９】
前記閉鎖領域は前壁により画定される、請求項２８に記載のパッケージアセンブリ。
【請求項３０】
前記前壁は、前記前壁に適用される前記磁性材料を備える、請求項２９に記載のパッケージアセンブリ。
【請求項３１】
前記磁性材料は前記前壁全体に適用される、請求項２９に記載のパッケージアセンブリ。
【国際調査報告】
2013544720.tif 000027
2013544720.tif 000028
2013544720.tif 000029
2013544720.tif 000030